(57)【要約】【課題】比較的簡単な制御で図柄を表示することができ、かつ、図柄を変化させることができるようにする。【解決手段】表示装置が、回転軸周りに回転可能に設けられたドラムと、前記ドラムに設けられて外方へ光を出力する複数の光源と、前記ドラムの外周の少なくとも一部を覆い、かつ、前記ドラムと同軸まわりに回転可能に設けられて光を遮断する遮光部材であって、光を通過させる光通過部分が前記複数の光源の配置に対応する形状で設けられている遮光部材と、を備える。【選択図】図３
2019063039.tif 000002
【特許請求の範囲】
【請求項１】
回転軸周りに回転可能に設けられたドラムと、
前記ドラムに設けられて外方へ光を出力する複数の光源と、
前記ドラムの外周の少なくとも一部を覆い、かつ、前記ドラムと同軸まわりに回転可能に設けられて光を遮断する遮光部材であって、光を通過させる光通過部分が前記複数の光源の配置に対応する形状で設けられている遮光部材と、
を備える表示装置。
【請求項２】
同一の回転軸周りに回転可能に複数の前記ドラムが設けられ、
前記ドラム毎に前記遮光部材が設けられている、
請求項１に記載の表示装置。
【請求項３】
前記ドラムに対する前記遮光部材の相対位置が、前記光通過部分が前記複数の光源の位置に対応する位置となる相対位置か否かを判定する相対位置判定部と、
前記相対位置判定部の判定結果に基づいて、前記光源の発光を制御する発光制御部と、
を備える請求項１または請求項２に記載の表示装置。
【請求項４】
前記発光制御部は、前記ドラムに対する前記遮光部材の相対位置が、前記光通過部分が前記複数の光源の位置に対応する位置となる相対位置であると前記相対位置判定部が判定した場合、前記複数の光源に対して定められている複数の発光パターンのうち選択された発光パターンに基づいて前記光源の発光を制御する、
請求項３に記載の表示装置。
【請求項５】
請求項１から４のいずれか一項に記載の表示装置を備える遊技機。
【請求項６】
請求項１から４のいずれか一項に記載の表示装置と、
前記遮光部材に画像を投影するプロジェクタと、
を備える表示システム。
【請求項７】
前記遮光部材の回転角度に応じて前記プロジェクタからの画像の投影の有無を制御する画像投影制御部を備える、
請求項６に記載の表示システム。
【請求項８】
前記プロジェクタは、前記ドラムおよび前記遮光部材を格納する筐体の、前記ドラムおよび前記遮光部材よりも上側に設けられている、
請求項６または請求項７に記載の表示システム。
【請求項９】
前記筐体は遊技機の筐体であり、
前記筐体の前面に張り出して受け皿が設けられており、
前記筐体の前記ドラムおよび前記遮光部材よりも上側に、前記受け皿の張り出しの範囲内で前記筐体の前面に張り出して張り出し部が設けられており、
前記プロジェクタは、前記張り出し部に設けられている、
請求項８に記載の表示システム。
【請求項１０】
前記筐体の前記ドラムおよび前記遮光部材よりも下側に設けられ、前記プロジェクタからの光を前記遮光部材に反射する鏡を備える、
請求項８または請求項９に記載の表示システム。
【発明の詳細な説明】
【技術分野】
【０００１】
本発明は、表示装置、遊技機および表示システムに関する。
【背景技術】
【０００２】
遊技機における表示に関して幾つかの技術が提案されている。
例えば、特許文献１に記載の遊技機は、表示手段と発光手段とを備える。表示手段がアイコンを表示し、発光手段は、アイコンが表示される位置の少なくとも一部にオーバーラップするように光を発する。
さらに、リールを用いた表示に関しても幾つかの技術が提案されている。
また、特許文献２に記載の遊技機の回転ドラム式表示器では、シンボルマークが印刷された帯状表示フィルムがリールドラムの外周に貼着され、リールドラムの内側にバックライトが設けられている。光が斑点となって表れることを防止するために、帯状表示フィルムとして全体に青みがかった透明フィルムを用いる。特に、白色ＬＥＤが赤い斑点となって表れることを防止する。
また、特許文献３に記載のスロットマシンの表示装置では、液晶シャッターにて形成される表示窓が回転リールの前方に位置する。制御部は、表示窓のうち入賞の組み合わせに対応する部分のみを透明にする。
【先行技術文献】
【特許文献】
【０００３】
【特許文献１】特開２０１７−０８６３５６号公報
【特許文献２】特開２００６−１１０２４７号公報
【特許文献３】特開平０４−２２０２７６号公報
【発明の概要】
【発明が解決しようとする課題】
【０００４】
リールを用いた表示では、リールを回転させるといった比較的簡単な制御で図柄を表示することができる。さらに、図柄を変化させることができれば表示の幅を広げることができる。
【０００５】
本発明は、上述の課題を解決することのできる表示装置、遊技機および表示システムを提供することを目的としている。
【課題を解決するための手段】
【０００６】
本発明の第１の態様によれば、表示装置は、回転軸周りに回転可能に設けられたドラムと、前記ドラムに設けられて外方へ光を出力する複数の光源と、前記ドラムの外周の少なくとも一部を覆い、かつ、前記ドラムと同軸まわりに回転可能に設けられて光を遮断する遮光部材であって、光を通過させる光通過部分が前記複数の光源の配置に対応する形状で設けられている遮光部材と、を備える。
【発明の効果】
【０００７】
この発明によれば、比較的簡単な制御で図柄を表示することができ、かつ、図柄を変化させることができる。
【図面の簡単な説明】
【０００８】
【図１】本発明の第１の実施形態に係る遊技機の概略外形を示す斜視図である。
【図２】同実施形態に係るドラムユニットの構成例を示す側面図である。
【図３】同実施形態に係るドラムと遮光部材との位置関係の例を示す斜視図である。
【図４】同実施形態に係るドラムユニットの表示部分におけるリールと遮光部材との位置関係の例を示す図である。
【図５】同実施形態に係る遮光シートによる表示の例を示す図である。
【図６】同実施形態に係るバックライト照明部の構成例を示す図である。
【図７】同実施形態に係るライトユニットの構成例を示す図である。
【図８】同実施形態に係るライトユニットの構成例を示す図である。
【図９】同実施形態に係るバックライト照明部の構成例を示す側面図である。
【図１０】同実施形態に係る制御部の機能構成を示す概略ブロック図である。
【図１１】同実施形態に係る制御部がバックライト照明部を発光させる処理の手順の例を示すフローチャートである。
【図１２】本発明の第２の実施形態に係る遊技機の概略外形を示す斜視図である。
【図１３】同実施形態に係る遊技機における各部の配置の例を示す正面図である。
【図１４】同実施形態に係る遊技機における各部の配置の例を示す側面図である。
【図１５】同実施形態に係る制御部の機能構成を示す概略ブロック図である。
【図１６】同実施形態に係るドラムユニットの表示部分において遮光部材がリールの全体を覆っている場合の、遮光部材の回転角度の例を示す図である。
【図１７】同実施形態に係るプロジェクタによる画像の投影と、リールに描かれた画像との両方の表示例を示す図である。
【図１８】本発明の第３の実施形態に係る遊技機の概略外形を示す斜視図である。
【図１９】本発明に係る表示装置の最小構成の例を示す図である。
【発明を実施するための形態】
【０００９】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
【００１０】
＜第１の実施形態＞
図１は、本発明の第１の実施形態に係る遊技機の概略外形を示す斜視図である。図１に示すように、遊技機１００は、筐体１１０と、受け皿１２０と、ハンドル１３０と、表示装置２００とを備える。表示装置２００は、ドラムユニット２１０と、制御部３００とを備える。
【００１１】
遊技機１００は、図柄の回転による当たりの表示を行う遊技機であればよく、特定のものに限定されない。例えば遊技機１００は、パチンコ機であってもよいし、スロットマシンであってもよい。以下では、遊技機１００がパチンコ機である場合を例に説明する。ここでいう当たりは、遊技者にとって興味のある事象であればよく、特定の事象に限定されない。例えば、ここでいう当たりは、役物の開放またはその確率の変動であってもよい。
【００１２】
筐体１１０は、制御部３００などの各部を格納する。制御部３００の配置は、図１に示すものに限らず、遊技機１００内（例えば筐体１１０内）の任意の位置でよい。
また、筐体１１０には、玉が移動する空間Ａ１１１が設けられている。筐体１１０は、空間Ａ１１１の後ろ側に、遊技機１００の正面側からドラムユニット２１０の一部が見えるように、ドラムユニット２１０を格納している。
以下では、ドラムユニット２１０のうち、遊技機１００の正面側から見える部分をドラムユニット２１０の表示部分と称する。
空間Ａ１１１の前面には、パチンコ玉の飛び出しを防止する透明カバーが設けられている。
【００１３】
受け皿１２０は、パチンコ玉を貯めておく受け皿であり、筐体１１０の前面に張り出して設けられている。遊技機１００がコイン式のスロットマシンである場合は、受け皿１２０がコインの受け皿となっていてもよい。
ハンドル１３０は、パチンコ玉を発射する操作用のハンドルである。
ドラムユニット２１０は、図柄の回転による当たりの表示を行う。
【００１４】
図２は、ドラムユニット２１０の構成例を示す側面図である。図２は、ドラムユニット２１０を回転軸方向から見た場合の外形の概略を示している。図２に示すように、ドラムユニット２１０は、ドラム２２０と、遮光部材２３０と、回転軸２４０と、バックライト照明部２５０とを備える。ドラム２２０は、リール２２１と、リール支持アーム２２２とを備える。遮光部材２３０は、遮光シート２３１と、遮光シート支持アーム２３２とを備える。
【００１５】
回転軸２４０は、ドラム２２０と遮光部材２３０とに共通の回転中心である。従って、ドラム２２０および遮光部材２３０のいずれも回転軸２４０周りに回転可能に設けられている。また、遮光部材２３０は、ドラム２２０の外周の少なくとも一部を覆うように設けられている。具体的には、遮光シート２３１が、リール２２１の外周の少なくとも一部を覆うように設けられている。
また、図２に示す遮光部材２３０には、全周のうち遮光シート２３１が無い部分が設けられている。以下では、遮光シート２３１が無い部分を遮光シート２３１の切れ目部分と称する。
リール支持アーム２２２は、リール２２１を回転軸２４０周りに回転可能に支持する。
遮光シート支持アーム２３２は、遮光シート２３１を回転軸２４０周りに回転可能に支持する。
【００１６】
図３は、ドラム２２０と遮光部材２３０との位置関係の例を示す斜視図である。図３では、図２に示されている各部のうち、ドラム２２０と、遮光部材２３０と、回転軸２４０とが示されている。
図３の例では、回転軸２４０周りに回転可能に３つのドラム２２０が設けられ、ドラム２２０毎に遮光部材２３０が設けられている。
但し、ドラム２２０の数および遮光部材２３０の数はこれらに限定されない。例えば、３つのドラム２２０を覆うように１つの遮光部材２３０が設けられていてもよい。
【００１７】
リール２２１の表面（外向きの面）には図柄が描かれている。リール２２１が回転することで図柄が回転する。図３に示す構成で、３つのリール２２１が回転して停止し、横または斜めに３つの図柄が揃ったら当たりとなる。このように、ドラムユニット２１０は、図柄の回転による当たりの表示を行う。
【００１８】
遮光シート２３１は、不透明なシートを用いて構成され、リール２２１に描かれた図柄を覆い隠す。遮光シート２３１は、光を遮断する素材のシートに光を通過させる部分を設けて構成されている。従って、遮光シート２３１には遮光性の高い部分と、比較的遮光性の低い部分とがある。遮光シート２３１にバックライト照明部２５０からのバックライトが当たると、比較的遮光性の低い部分の図柄が浮かび上がる。一方、遮光シート２３１にバックライト照明部２５０からのバックライトが当たっていない状態では、当該図柄は見えない。
【００１９】
以下では、遮光シート２３１のうち比較的遮光性の低い部分を光通過部分と称する。遮光シート２３１のうち遮光性の高い部分を背景部分と称する。
図３の例では、向かって左端の遮光シート２３１にバックライト照明部２５０からのバックライトが当たって、７セグメントディスプレイ（Seven-Segment Display）の形状の図柄が浮かび上がっている。
【００２０】
遮光シート２３１の色および図柄は特定のものに限定されない。例えば、遮光シート２３１が無地の単一色になっており、バックライト照明部２５０からのバックライトが当たった場合のみ図柄を表示するようにしてもよい。あるいは、遮光シート２３１に図柄が描かれていてもよい。遮光シート２３１は、バックライト照明部２５０からのバックライトが当たっていない状態では当該図柄を示す。一方、バックライト照明部２５０からのバックライトが当たった状態では、遮光シート２３１は、遮光シート２３１に描かれている図柄と、光通過部分による図柄（光通過部分を光が通過して浮かび上がる図柄）とを組み合わせた図柄を示す。従って、バックライトが当たっているときと当っていないときとで、遮光シート２３１が示す図柄が変化する。
【００２１】
遮光部材２３０に遮光シート２３１の切れ目部分を設けておき、この切れ目部分を遊技機１００の正面側に向けることで、リール２２１に描かれた図柄を表示可能である。また、遮光部材２３０の回転角度を、遊技機１００の正面からみて遮光シート２３１がリール２２１の一部のみを覆う回転角度とすることで、リール２２１に描かれた図柄の一部のみを表示すること、あるいは、リール２２１に描かれた図柄と、遮光部材２３０による図柄（バックライト照明部２５０からの光による図柄）との両方を表示することができる。
【００２２】
遮光シート２３１の切れ目部分の大きさを、ドラムユニット２１０の表示部分以上の大きさとすることで、ドラムユニット２１０の表示部分全体についてリール２２１を見えるようにすることができる。また、遮光シート２３１がある部分の大きさを、ドラムユニット２１０の表示部分以上の大きさとすることで、ドラムユニット２１０の表示部分全体についてリール２２１を隠して遮光部材２３０による図柄を表示可能である。上述したように、ドラムユニット２１０の表示部分とは、ドラムユニット２１０のうち遊技機１００の正面側から見える部分である。
【００２３】
例えば、遮光シート２３１がある部分を全周のうち２７０°分とし、残りの部分（９０°分）を遮光シート２３１の切れ目部分としてもよい。
遮光シート２３１の切れ目部分に代えて、遮光シート２３１の一部を透明なシートを用いて構成するようにしてもよい。透明なシートの部分を遊技機１００の正面側に向けることで、リール２２１に描かれた図柄を表示可能である。
【００２４】
図４は、ドラムユニット２１０の表示部分におけるリール２２１と遮光部材２３０との位置関係の例を示す図である。図４は、ドラムユニット２１０の表示部分を斜視図で示している。図４では、ドラムユニット２１０の表示部分において遮光シート２３１がリール２２１の全体を覆っている例を示している。遮光シート２３１はワイヤーフレームで示されている。
【００２５】
図５は、遮光シート２３１による表示の例を示す図である。図５は、ドラムユニット２１０の表示部において遮光シート２３１がリール２２１の全体を覆っている状態で、ドラムユニット２１０の表示部分を遊技機１００の正面側から見た例を示している。
図５の例では、３つの遮光シート２３１それぞれに７セグメントディスプレイの形状の光通過部分が設けられている。３つの遮光シート２３１のいずれでも、光通過部分の一部にのみバックライト照明部２５０からのバックライトが当り、３つの「７」の文字が浮かび上がっている。
【００２６】
バックライト照明部２５０は、複数の光源を備え、ドラム２２０に設けられて外方へ光を出力する。以下では、バックライト照明部２５０がＬＥＤ（Light Emitting Diode、発光ダイオード）による複数の光源を備える場合を例に説明するが、バックライト照明部２５０が備える光源は特定の種類のものに限定されない。
【００２７】
図６は、バックライト照明部２５０の構成例を示す図である。図６は、図５の例のように７セグメントディスプレイにて数字を示す場合の、数字１つ分（１つのドラムに設けられる１つのバックライト照明部２５０分）のバックライト照明部２５０の構成例を示している。
図６の例では、バックライト照明部２５０は、３つのライトユニット２５１と外枠２５２とを備える。３つのライトユニット２５１は、縦に並んで外枠２５２にはめ込まれている。３つのライトユニット２５１は、上側および下側のライトユニット２５１ａと、真ん中のライトユニット２５１ｂとに分類される。
【００２８】
図７は、ライトユニット２５１ａの構成例を示す図である。図７に示すように、ライトユニット２５１ａは、６つのＬＥＤ２６１と、２つの仕切り２６３とを備える。また、上記のように、ライトユニット２５１ａは、外枠２５２にはめ込まれている。
図７に示す形状の仕切りを仕切り２６３ａと表記する。
【００２９】
ライトユニット２５１ａは、外枠２５２と２つの仕切り２６３ａによって３つの領域Ａ２１１、Ａ２１２、Ａ２１３に分割されている。領域Ａ２１１には、上下２つのＬＥＤ２６１（ＬＥＤ２６１ａおよび２６１ｂ）が配置されている。領域Ａ２１２には、左右２つのＬＥＤ２６１（ＬＥＤ２６１ｃおよび２６１ｄ）が配置されている。領域Ａ２１３には、上下２つのＬＥＤ２６１（ＬＥＤ２６１ａおよび２６１ｂ）が配置されている。
【００３０】
外枠２５２及び仕切り２６３は、ＬＥＤ２６１の光を他の領域に漏らさないために設けられている。ライトユニット２５１ｂについても同様である。
図６に示す構成では、上側のライトユニット２５１ａのＬＥＤ２６１のうち、ＬＥＤ２６１ａおよび２６１ｅは不使用となる。また、下側のライトユニット２５１ａのＬＥＤ２６１のうち、ＬＥＤ２６１ｂおよび２６１ｆは不使用となる。
【００３１】
図８は、ライトユニット２５１ｂの構成例を示す図である。図８に示すように、ライトユニット２５１ｂは、６つのＬＥＤ２６１と、２つの仕切り２６３とを備える。また、上記のように、ライトユニット２５１ｂは、外枠２５２にはめ込まれている。
図８に示す形状の仕切りを仕切り２６３ｂと表記する。
ライトユニット２５１ｂは、仕切り２６３ｂの形状が、ライトユニット２５１ａの仕切り２６３ａの形状と異なる。それ以外の点では、ライトユニット２５１ｂの構成は、ライトユニット２５１ａの構成と同様である。
【００３２】
ライトユニット２５１ｂは、外枠２５２と２つの仕切り２６３ｂによって５つの領域Ａ２２１、Ａ２２２、Ａ２２３、Ａ２２４、Ａ２２５に分割されている。領域Ａ２２１、Ａ２２２、Ａ２２４、Ａ２２５には、それぞれ１つのＬＥＤ２６１（ＬＥＤ２６１ａ、ＬＥＤ２６１ｂ、ＬＥＤ２６１ｅ、ＬＥＤ２６１ｆ）が配置されている。領域Ａ２２２には、左右２つのＬＥＤ２６１（ＬＥＤ２６１ｃおよび２６１ｄ）が配置されている。
【００３３】
ライトユニット２５１ｂでは、ＬＥＤ２６１ａとＬＥＤ２６１ｂとが別々の線に割り当てられるため、仕切り２６３ｂが領域Ａ２２１とＡ２２２とに分割している。同様に、ライトユニット２５１ｂでは、ＬＥＤ２６１ｅとＬＥＤ２６１ｆとが別々の線に割り当てられるため、仕切り２６３ｂが領域Ａ２２４とＡ２２５とに分割している。
【００３４】
図９は、バックライト照明部２５０の構成例を示す側面図である。上記のように、バックライト照明部２５０は、３つのライトユニット２５１が外枠２５２にはめ込まれて構成されている。図９では、バックライト照明部２５０の各部のうち、外枠２５２と、ライトユニット２５１ａの仕切り２６３ａおよびライトユニット２５１ｂの仕切り２６３ｂとが示されている。
外枠２５２がドラム２２０に固定されることで、バックライト照明部２５０は、ドラム２２０の回転によって回転する。
【００３５】
図５に示す遮光シート２３１の光通過部分は、図６〜９に示すバックライト照明部２５０の複数のＬＥＤ２６１の配置に対応する形状で設けられている。図６〜図９に示す７セグメントディスプレイに対応した配置のＬＥＤ２６１が、図５に示す７セグメントディスプレイの形状の光通過部分に位置し、表示する数字に応じたパターンで点灯することで、数字を表示することができる。
【００３６】
遮光シート２３１の光通過部分の形状、および、バックライト照明部２５０のＬＥＤ２６１の配置は、図５〜図９に示す７セグメントディスプレイのものに限定されない。
例えば、遮光シート２３１の光通過部分が、「大当たり」など、複数の文字からなる文字列の形状に設けられていてもよい。そして、バックライト照明部２５０のＬＥＤ２６１が、文字毎に設けられていてもよい。例えば、ＬＥＤ２６１が全て点灯すると「大当たり」の文字が浮かび上がり、２文字目〜４文字目のＬＥＤ２６１のみが点灯すると「当たり」の文字が浮かび上がる。このように、ＬＥＤ２６１の発光パターンを切り替えることで、表示する文字列を切り替えることができる。
また、ＬＥＤ２６１が、「大」、「当」、「た」、「り」の順で１文字ずつ点灯することで、視覚的効果を演出することができる。
【００３７】
バックライト照明部２５０は、リール２２１よりも内側に設置されている。このため、リール２２１におけるＬＥＤ２６１の各々の位置に穴を開けておく。これにより、ＬＥＤ２６１からの光がリール２２１の外側へ通過できる。あるいは、リール２２１のうち、少なくともＬＥＤ２６１の各々の位置を透過性のある素材で構成するようにしてもよい。
【００３８】
ＬＥＤ２６１が点灯した際に、リール２２１の色が写り込むことを防止するために、バックライト照明部２５０をリール２２１のブランクの部分（白色無地の部分）の裏側に設置するようにしてもよい。
あるいは、バックライト照明部２５０を、リール２２１の色がＬＥＤ２６１の光の色と同じ色の箇所の裏側に設置するようにしてもよい。例えば、ＬＥＤ２６１の発光色が赤の場合、バックライト照明部２５０を、リール２２１に赤の図柄が描かれている部分の裏側に設置するようにしてもよい。
【００３９】
なお、１つのドラム２２０に複数のバックライト照明部２５０が設けられていてもよい。例えば、同一のドラム２２０に７セグメンテーションディスプレイ用のバックライト照明部２５０と、文字列に対応したバックライト照明部２５０とが設けられていてもよい。ドラム２２０が回転することで、いずれか一方のバックライト照明部２５０をドラムユニット２１０の表示部分に位置させて使用することができる。
【００４０】
制御部３００は、ドラム２２０と遮光部材２３０との位置関係に応じてバックライト照明部２５０の発光を制御する。制御部３００は、例えばマイコン（Microcomputer）等のコンピュータを用いて構成される。あるいは、制御部３００が専用のハードウェアにて構成されていてもよい。
図１０は、制御部３００の機能構成を示す概略ブロック図である。図１０に示すように、制御部３００は、相対位置判定部３１０と、発光制御部３２０とを備える。
【００４１】
相対位置判定部３１０は、ドラム２２０に対する遮光部材２３０の相対位置が、光通過部分がバックライト照明部２５０の複数の光源（ＬＥＤ２６１）の位置に対応する位置となる相対位置か否かを判定する。
例えば、相対位置判定部３１０は、ドラム２２０の回転角度と遮光部材２３０の回転角度の差が所定の角度か否かを判定する。また、相対位置判定部３１０は、ドラム２２０の回転角度から、バックライト照明部２５０がドラムユニット２１０の表示部分に位置しているか否かを判定する。
【００４２】
発光制御部３２０は、相対位置判定部３１０の判定結果に基づいて、バックライト照明部２５０の発光を制御する。具体的には、発光制御部３２０は、ドラム２２０に対する遮光部材２３０の相対位置が、光通過部分がバックライト照明部２５０の複数のＬＥＤ２６１の位置に対応する位置となる相対位置であると相対位置判定部３１０が判定した場合、複数のＬＥＤ２６１に対して定められている複数の発光パターンのうち選択された発光パターンに基づいてＬＥＤ２６１の各々の発光を制御する。
【００４３】
図１１は、制御部３００がバックライト照明部２５０を発光させる処理の手順の例を示すフローチャートである。制御部３００は、例えば当たりの抽選開始などバックライト照明部２５０を発光させる事象が発生すると図１１の処理を開始する。
図１１の処理で、制御部３００は、ドラム２２０の回転および遮光部材２３０の回転を制御する（ステップＳ１１１）。
【００４４】
そして、相対位置判定部３１０は、ドラム２２０の回転角度情報および遮光部材２３０の回転角度情報を取得し（ステップＳ１１２）、ドラム２２０の回転角度と遮光部材２３０の回転角度との差を算出する（ステップＳ１１３）。
さらに、相対位置判定部３１０は、算出した回転角度の差が所定の角度か否かを判定する（ステップＳ１１４）。ここでの所定の角度は、遮光シート２３１の、光通過部分がバックライト照明部２５０の複数の光源の位置に対応する位置となる角度である。例えば、相対位置判定部３１０が、この角度を予め記憶しておく。
【００４５】
回転角度の差が所定の角度ではないと判定した場合（ステップＳ１１４：ＮＯ）、ステップＳ１１１へ戻る。
一方、回転角度の差が所定の角度であると判定した場合（ステップＳ１１４：ＹＥＳ）、相対位置判定部３１０は、ドラム２２０の回転角度に基づいて、バックライト照明部２５０がドラムユニット２１０の表示部分に位置しているか否かを判定する（ステップＳ１１５）。
【００４６】
バックライト照明部２５０がドラムユニット２１０の表示部分に位置していないと判定した場合（ステップＳ１１５：ＮＯ）、ステップＳ１１１へ戻る。
一方、バックライト照明部２５０がドラムユニット２１０の表示部分に位置していると判定した場合（ステップＳ１１５：ＹＥＳ）、発光制御部３２０がバックライト照明部２５０の各ＬＥＤ２６１の発光パターンを決定し（ステップＳ１２１）、決定した発光パターンに従って各ＬＥＤ２６１の点灯および消灯（ＯＮ／ＯＦＦ）を制御する（ステップＳ１２２）。
【００４７】
次に、制御部３００は、バックライト照明部２５０を発光させる事象が終了したか否かを判定する（ステップＳ１２３）。
バックライト照明部２５０を発光させる事象が終了していないと判定した場合（ステップＳ１２３：ＮＯ）、ステップＳ１２１へ戻る。
一方、バックライト照明部２５０を発光させる事象が終了したと判定した場合（ステップＳ１２３：ＹＥＳ）、図１１の処理を終了する。
【００４８】
以上のように、ドラム２２０は、回転軸２４０周りに回転可能に設けられている。バックライト照明部２５０の複数のＬＥＤ２６１の各々は、ドラム２２０に設けられて外方へ光を出力する。遮光部材２３０は、ドラム２２０の外周の少なくとも一部を覆い、かつ、ドラム２２０と同じ回転軸２４０まわりに回転可能に設けられて光を遮断する。遮光部材２３０の遮光シート２３１には、光を通過させる光通過部分が複数のＬＥＤ２６１の配置に対応する形状で設けられている。
これにより、表示装置２００では、リール２２１に図柄が描かれたドラム２２０を回転させるという比較的簡単な制御で図柄を表示することができる。かつ、ドラムユニット２１０では、遮光シート２３１の光通過部分の位置と、バックライト照明部２５０の各ＬＥＤ２６１の位置とを対応させた状態で、各ＬＥＤ２６１の点灯および消灯を制御することで、図柄を変化させることができる。
【００４９】
また、複数のドラム２２０が、同一の回転軸周り（回転軸２４０周り）に回転可能に設けられている。遮光部材２３０は、ドラム２２０毎に設けられている。
これにより、表示装置２００では、リール２２１に描かれた図柄の表示と、バックライト照明部２５０からの光を用いた図柄の表示との何れかをドラム２２０毎に選択することができ、この点で多彩な表現が可能となる。
【００５０】
また、相対位置判定部３１０は、ドラム２２０に対する遮光部材２３０の相対位置が、光通過部分が複数のＬＥＤ２６１の位置に対応する位置となる相対位置か否かを判定する。発光制御部３２０は、相対位置判定部３１０の判定結果に基づいて、ＬＥＤ２６１の発光を制御する。
これにより、表示装置２００では、遮光シート２３１の光通過部分の位置とバックライト照明部２５０のＬＥＤ２６１の位置とがずれた状態での無駄な発光を抑制することができる。
【００５１】
また、発光制御部３２０は、ドラム２２０に対する遮光部材２３０の相対位置が、光通過部分が複数のＬＥＤ２６１の位置に対応する位置となる相対位置であると相対位置判定部３１０が判定した場合、複数のＬＥＤ２６１に対して定められている複数の発光パターンのうち選択された発光パターンに基づいて光源ＬＥＤ２６１の発光を制御する。
これにより、表示装置２００では、ＬＥＤ２６１の点灯および消灯（ＯＮ／ＯＦＦ）の切り替えにより、複数の図柄を切り替えて表示することができる。
【００５２】
＜第２の実施形態＞
図１２は、本発明の第２の実施形態に係る遊技機の概略外形を示す斜視図である。図１２に示すように、遊技機１０１は、筐体１１０と、張り出し部１４０と、ハンドル１３０と、透明カバー１５０と、受け皿１２０と、表示システム２０１とを備える。表示システム２０１は、表示装置２０２と、プロジェクタ２９０とを備える。表示装置２０２は、ドラムユニット２１０と、制御部３０１とを備える。
【００５３】
図１２の各部のうち、図１の各部に対応して同様の機能を有する部分に同一の符号（１１０、１２０、１３０、１４０、１５０、２１０、Ａ１１１）を付して説明を省略する。
遊技機１０１は、プロジェクタ２９０を備えている点で遊技機１００の場合と異なる。これに応じて、制御部３０１が、遊技機１００の制御部３００が行う処理に加えてプロジェクタ２９０の制御を行う点で、遊技機１００の場合と異なる。それ以外の点では、遊技機１０１は、遊技機１００と同様である。
【００５４】
張り出し部１４０は、筐体１１０のドラムユニット２１０よりも上側に、受け皿１２０の張り出しの範囲内で筐体１１０の前面に張り出して設けられている。
図１３は、遊技機１０１における各部の配置の例を示す正面図である。図１３では、図１２に示されている各部が示されている。
図１３の例で、筐体１１０の上側から順に、張り出し部１４０、ドラムユニット２１０、受け皿１２０が配置され、受け皿１２０の横にハンドル１３０が配置されている。また、プロジェクタ２９０が、張り出し部１４０に配置されている。
【００５５】
張り出し部１４０の下から受け皿１２０の上までの領域に空間Ａ１１１が設けられ、ドラムユニット２１０は、空間Ａ１１１内に、遊技機１００の正面側からドラムユニット２１０の一部が見えるように配置されている。透明カバー１５０は、張り出し部１４０の下側の一部と空間Ａ１１１とを覆うように配置されている。
また、図１３の例では、張り出し部１４０の奥に制御部３０１が配置されている。但し、制御部３０１の配置は、図１３に示すものに限らず、遊技機１０１内（例えば筐体１１０内）の任意の位置でよい。
【００５６】
図１４は、遊技機１０１における各部の配置の例を示す側面図である。図１４では、図１３に示されている各部が示されている。各部の配置は、図１３を参照して説明したとおりである。
図１４の例では、張り出し部１４０が筐体１１０の前面から張り出している距離Ｄ１１と、受け皿１２０が筐体１１０の前面から張り出している距離Ｄ１２とは等しい。面Ｆ１１は、筐体１１０の前面から距離Ｄ１１の位置にある面であり、張り出し部１４０の先端、受け皿１２０の先端共に面Ｆ１１の位置にある。
【００５７】
このように、張り出し部１４０が、受け皿１２０の張り出しの範囲内で筐体１１０の前面に張り出して設けられていることで、遊技機１０１を設置した際に、張り出し部１４０が邪魔になりにくい。例えば、遊技機１０１を使用する遊技者が座る椅子を設置する際、受け皿１２０の張り出しを基準に椅子の位置を決定すれば、受け皿１２０に加えて張り出し部１４０も遊技者の邪魔にならないことが期待される。
【００５８】
張り出し部１４０には、プロジェクタ２９０が設けられる。また、張り出し部１４０を設けることで、遊技機１００のデザイン性を高めることができる。張り出し部１４０を、色付きの透過性のカバーと、当該カバーの内部に設けられた光源とを含む構成とし、当たりのときに光源を点滅させるなど、張り出し部１４０が視覚的効果を演出するようにしてもよい。
【００５９】
透明カバー１５０は、筐体１１０の前面に設けられている。透明カバー１５０は、プロジェクタ２９０がドラムユニット２１０へ照射する光が遮られるのを防止する。
表示システム２０１は、視覚的効果を演出し、図柄の回転による当たりの表示を行う。
ドラムユニット２１０は、遊技機１００の場合と同様の表示を行う。加えて、ドラムユニット２１０は、プロジェクタ２９０が投影する画像を表示する。
【００６０】
遮光シート２３１のうち、バックライト照明部２５０からの光による図柄の表示に用いられる部分をプロジェクタ２９０の投影画像の表示にも用いるようにしてもよい。あるいは遮光シート２３１に、バックライト照明部２５０からの光による図柄の表示に用いられる部分とは別に、プロジェクタ２９０の投影画像の表示に用いられる部分が設けられていてもよい。
【００６１】
上記のように制御部３０１は、プロジェクタ２９０の制御を行う。
図１５は、制御部３０１の機能構成を示す概略ブロック図である。図１５に示すように、制御部３００は、相対位置判定部３１０と、発光制御部３２０と、画像投影制御部３３０とを備える。
図１５の各部のうち、図１０の各部に対応して同様の機能を有する部分には、同一の符号（３１０、３２０）を付して説明を省略する。
【００６２】
画像投影制御部３３０は、プロジェクタ２９０による画像の投影を制御する。具体的には、画像投影制御部３３０は、遮光部材２３０の回転角度に応じてプロジェクタ２９０からの画像の投影の有無を制御する。例えば、制御部３０１は、ドラムユニット２１０の表示部分全体において遮光シート２３１がリール２２１全体を覆うように遮光部材２３０を回転させ、画像投影制御部３３０は、プロジェクタ２９０に画像を投影させる。これにより、プロジェクタ２９０は、遮光部材２３０に画像を投影する。
【００６３】
図１６は、ドラムユニット２１０の表示部分において遮光部材２３０がリール２２１の全体を覆っている場合の、遮光部材２３０の回転角度の例を示す図である。図１６では、ドラムユニット２１０を遊技機１０１の前方斜め横から見た斜視図を示している。線Ｌ１１は、ドラムユニット２１０の表示部分を示している。
図１６に示すように、遮光シート２３１の切れ目部分がドラムユニット２１０の表示部分以外に位置するように遮光部材２３０を回転させることで、ドラムユニット２１０の表示部分において遮光部材２３０がリール２２１の全体を覆う。
【００６４】
また、制御部３０１は、ドラムユニット２１０の表示部分全体において遮光シート２３１がリール２２１の一部のみを覆うように遮光部材２３０を回転させ、画像投影制御部３３０は、遮光シート２３１の部分にプロジェクタ２９０に画像を投影させる。これにより、プロジェクタ２９０による画像の投影と、リール２２１に描かれた画像との両方を表示することができる。
図１７は、プロジェクタ２９０による画像の投影と、リール２２１に描かれた画像との両方の表示例を示す図である。
図１７の例で、ドラムユニット２１０の表示部分がリール２２１の絵柄の３列分に相当し、上の２列分を遮光シート２３１が覆っている。遮光シート２３１にはプロジェクタ２９０からの投影画像が表示されている。ドラムユニット２１０の表示部分の下側には、リール２２１が絵柄の１列分見えている。３つあるリール２２１のうち両端の２つは停止して絵柄が固定されている。中央のリール２２１は回転中であり、絵柄も回転中である。
【００６５】
また、制御部３０１は、ドラムユニット２１０の表示部分全体に遮光シート２３１の切れ目部分が位置するように遮光部材２３０を回転させ、画像投影制御部３３０は、プロジェクタ２９０による画像の投影を停止させる。これにより、リール２２１に描かれた図柄を表示できる。
あるいは、プロジェクタ２９０がリール２２１に画像を投影するようにしてもよい。例えば、ドラムユニット２１０の表示部分に遮光シート２３１が位置しているか否かによって、画像投影制御部３３０が、プロジェクタ２９０に投影させる画像を切り替えるようにしてもよい。ドラムユニット２１０の表示部分に遮光シート２３１が位置している場合は、画像投影制御部３３０は、遮光シート２３１に投影するための画像をプロジェクタ２９０に投影させる。一方、ドラムユニット２１０の表示部分に遮光シート２３１が位置していない場合は、画像投影制御部３３０は、リール２２１に投影するための画像をプロジェクタ２９０に投影させる。
【００６６】
ドラムユニット２１０が、バックライト照明部２５０からの光による図柄の表示と、プロジェクタ２９０からの投影画像の表示とを同時に行うようにしてもよい。
例えば、ドラムユニット２１０が、バックライト照明部２５０からの光による図柄と、プロジェクタ２９０からの投影画像とを重ねて表示するようにしてもよい。あるいは、ドラムユニット２１０が、バックライト照明部２５０からの光による図柄と、プロジェクタ２９０からの投影画像とを別々の位置に同時に表示するようにしてもよい。
【００６７】
以上のように、画像投影制御部３３０は、遮光部材２３０の回転角度に応じてプロジェクタ２９０からの画像の投影の有無を制御する。
これにより、表示システム２０１では、リール２２１に描かれた図柄の表示、バックライト照明部２５０からの光による図柄の表示、プロジェクタ２９０が投影する画像の表示、およびこれらの組み合わせが可能であり、この点で多彩な表現が可能である。
具体的には、表示システム２０１では、ドラムユニット２１０の表示部分において遮光部材２３０がドラム２２０全体を覆う状態で、バックライト照明部２５０からの光による図柄およびプロジェクタ２９０が遮光部材２３０に投影する画像のうち何れか一方または両方を表示することができる。また、表示システム２０１では、ドラムユニット２１０の表示部分において遮光部材２３０がドラム２２０を覆っていない状態で、リール２２１に描かれた図柄を表示することができる。また、表示システム２０１では、ドラムユニット２１０の表示部分において遮光部材２３０がドラム２２０の一部を覆う状態で、リール２２１に描かれた画像と、バックライト照明部２５０からの光による図柄およびプロジェクタ２９０が遮光部材２３０に投影する画像のうち何れか一方または両方とを共に表示することができる。
【００６８】
また、プロジェクタ２９０は、筐体１１０においてドラムユニット２１０よりも上側に設けられている。
このように、プロジェクタ２９０が筐体１１０に設けられていることで、筐体１１０とプロジェクタ２９０とを別々に設置する必要が無く、この点で設置の負荷が軽くて済む。
【００６９】
また、筐体１１０は遊技機１００の筐体である。筐体１１０の前面に張り出して受け皿１２０が設けられている。張り出し部１４０は、筐体１１０においてドラムユニット２１０よりも上側に、受け皿１２０の張り出しの範囲内で筐体１１０の前面に張り出して設けられている。プロジェクタ２９０は、張り出し部１４０に設けられている。
このように、プロジェクタ２９０が筐体１１０から張り出した張り出し部１４０に設けられていることで、プロジェクタ２９０は、ドラムユニット２１０の真上から画像を投影する場合よりも、遮光部材２３０の広範囲に画像を投影することができる。かつ、プロジェクタ２９０が筐体１１０から張り出した張り出し部１４０に設けられていることで、筐体１１０とプロジェクタ２９０とを別々に設置する必要が無く、この点で設置の負荷が軽くて済む。さらに、張り出し部１４０が、受け皿１２０の張り出しの範囲内で筐体１１０の前面に張り出していることで、受け皿１２０の張り出しを基準として遊技機１００を設置したときに、張り出し部１４０が邪魔になりにくい。
【００７０】
＜第３の実施形態＞
図１８は、本発明の第３の実施形態に係る遊技機の概略外形を示す斜視図である。図１８に示すように、遊技機１０２は、筐体１１０と、張り出し部１４０と、ハンドル１３０と、透明カバー１５０と、受け皿１２０と、表示システム２０３とを備える。表示システム２０３は、表示装置２０４と、プロジェクタ２９１と、鏡２９２とを備える。表示装置２０４は、ドラムユニット２１０と、制御部３０１とを備える。
【００７１】
図１８の各部のうち、図１２の各部に対応して同様の機能を有する部分に同一の符号（１１０、１２０、１３０、１４０、１５０、２１０、Ａ１１１）を付して説明を省略する。
遊技機１０２は、鏡２９２を備えている点で遊技機１０１の場合と異なる。これに応じて、プロジェクタ２９１が投影する画像がプロジェクタ２９０の場合と異なるときがある。それ以外の点では、遊技機１０２は、遊技機１０１と同様である。
【００７２】
プロジェクタ２９１は、遊技機１０１のプロジェクタ２９０の場合と同様、ドラムユニット２１０へ向けて光を照射する。加えて、プロジェクタ２９１は、ドラムユニット２１０の表示部において遮光部材２３０がドラム２２０全体を覆っている状態で、鏡２９２へ向けても光を照射する。
鏡２９２は、筐体１１０においてドラムユニット２１０よりも下側に設けられ、プロジェクタ２９１からの光を遮光部材２３０に反射する。
これにより、プロジェクタ２９１は、ドラムユニット２１０の表示部全体に死角なく画像を投影することができる。
【００７３】
以上のように、鏡２９２は、筐体１１０においてドラムユニット２１０よりも下側に設けられている。鏡２９２は、プロジェクタ２９１からの光を遮光部材２３０に反射する。
これにより、表示システム２０３では、ドラムユニット２１０の表示部全体に死角なく画像を投影することができる。
【００７４】
次に、図１９を参照して本発明の最小構成について説明する。
図１９は、本発明に係る表示装置の最小構成の例を示す図である。図１９に示す表示装置１０は、ドラム１１と、複数の光源１２と、遮光部材１３とを備える。
かかる構成にて、ドラム１１は、回転軸周りに回転可能に設けられている。複数の光源１２は、ドラム１１に設けられて外方へ光を出力する。遮光部材１３は、ドラム１１の外周の少なくとも一部を覆い、かつ、ドラム１１と同軸まわりに回転可能に設けられて光を遮断する。遮光部材１３には、光を通過させる光通過部分が複数の光源１２の配置に対応する形状で設けられている。
【００７５】
これにより、表示装置１０では、リールに図柄が描かれたドラム１１を回転させるという比較的簡単な制御で図柄を表示することができる。かつ、表示装置１０では、遮光部材１３の光通過部分の位置と、光源１２の位置とを対応させた状態で、各光源の点灯および消灯を制御することで、図柄を変化させることができる。
【００７６】
以上、この発明の実施形態について図面を参照して詳述してきたが、具体的な構成はこの実施形態に限られるものではなく、この発明の要旨を逸脱しない範囲の設計等も含まれる。
【符号の説明】
【００７７】
１０、２００、２０２、２０４  表示装置
１１、２２０  ドラム
１２  光源
１３、２３０  遮光部材
１００、１０１、１０２  遊技機
１１０  筐体
１２０  受け皿
１３０  ハンドル
１４０  張り出し部
１５０  透明カバー
２００、２０２、２０４  表示装置
２０１、２０３  表示システム
２１０  ドラムユニット
２２１  リール
２２２  リール支持アーム
２３１  遮光シート
２３２  遮光シート支持アーム
２４０  回転軸
２５０  バックライト照明部
２９０、２９１  プロジェクタ
２９２  鏡
３００、３０１  制御部
３１０  相対位置判定部
３２０  発光制御部
３３０  画像投影制御部
【図１】
2019063039.tif 000003
【図２】
2019063039.tif 000004
【図３】
2019063039.tif 000005
【図４】
2019063039.tif 000006
【図５】
2019063039.tif 000007
【図６】
2019063039.tif 000008
【図７】
2019063039.tif 000009
【図８】
2019063039.tif 000010
【図９】
2019063039.tif 000011
【図１０】
2019063039.tif 000012
【図１１】
2019063039.tif 000013
【図１２】
2019063039.tif 000014
【図１３】
2019063039.tif 000015
【図１４】
2019063039.tif 000016
【図１５】
2019063039.tif 000017
【図１６】
2019063039.tif 000018
【図１７】
2019063039.tif 000019
【図１８】
2019063039.tif 000020
【図１９】
2019063039.tif 000021